(57)【要約】【課題】異なる波長帯域の画像群を高速に取得することができる、簡便で低コストの撮像装置を提供する。【解決手段】被写体を照明する照明ユニットと、少なくとも第１のイメージセンサと第２のイメージセンサを有する撮像ユニットと、被写体からの光を撮像ユニットの各イメージセンサへ導く光学系と、を有する。照明ユニットは、少なくとも、波長帯域が異なる第１の照明光と第２の照明光を択一的に照射可能である。光学系は、第１の照明光の波長帯域に含まれる第１の波長の光と第２の照明光の波長帯域に含まれる第２の波長の光をそれぞれ選択的に抽出し、第１のイメージセンサへ導くように構成された第１の光学的構造と、第１の照明光の波長帯域に含まれる第３の波長の光と第２の照明光の波長帯域に含まれる第４の波長の光をそれぞれ選択的に抽出し、第２のイメージセンサへ導くように構成された第２の光学的構造と、を有する。【選択図】図１
2016224368.tif 000002
【特許請求の範囲】
【請求項１】
被写体を照明する照明ユニットと、
少なくとも第１のイメージセンサと第２のイメージセンサを有する撮像ユニットと、
前記被写体からの光を前記撮像ユニットの各イメージセンサへ導く光学系と、を有し、
前記照明ユニットは、少なくとも、第１の照明光と、前記第１の照明光とは波長帯域が異なる第２の照明光と、を択一的に照射可能であり、
前記光学系は、
前記第１の照明光の波長帯域に含まれる第１の波長の光と前記第２の照明光の波長帯域に含まれる第２の波長の光をそれぞれ選択的に抽出し、前記第１のイメージセンサへ導くように構成された第１の光学的構造と、
前記第１の照明光の波長帯域に含まれる第３の波長の光と前記第２の照明光の波長帯域に含まれる第４の波長の光をそれぞれ選択的に抽出し、前記第２のイメージセンサへ導くように構成された第２の光学的構造と、を有する
ことを特徴とする撮像装置。
【請求項２】
前記撮像ユニットは、第３のイメージセンサをさらに有し、
前記光学系は、前記第１の照明光の波長帯域に含まれる第５の波長の光と前記第２の照明光の波長帯域に含まれる第６の波長の光をそれぞれ選択的に抽出し、前記第３のイメージセンサへ導くように構成された第３の光学的構造をさらに有する
ことを特徴とする請求項１に記載の撮像装置。
【請求項３】
前記第１の照明光の波長帯域と前記第２の照明光の波長帯域は互いに重ならないように設定されている
ことを特徴とする請求項１又は２に記載の撮像装置。
【請求項４】
前記照明ユニットから前記第１の照明光を照射しながら前記第１のイメージセンサ及び前記第２のイメージセンサで撮像することにより、前記第１の波長に対応する第１の画像と前記第３の波長に対応する第３の画像を取得する第１の撮像処理と、
前記照明ユニットから前記第２の照明光を照射しながら前記第１のイメージセンサ及び前記第２のイメージセンサで撮像することにより、前記第２の波長に対応する第２の画像と前記第４の波長に対応する第４の画像を取得する第２の撮像処理と、を実行する
ことを特徴とする請求項１〜３のうちいずれか１項に記載の撮像装置。
【請求項５】
前記光学系は、ダイクロイックプリズムを有し、
前記光学的構造は、複数の透過帯域をもつように構成された前記ダイクロイックプリズムの透過面、又は、複数の反射帯域をもつように構成された前記ダイクロイックプリズムの反射面である
ことを特徴とする請求項１〜４のうちいずれか１項に記載の撮像装置。
【請求項６】
前記光学系は、ビームスプリッタを有し、
前記光学的構造は、前記ビームスプリッタと各イメージセンサの間に配置され、複数の透過帯域をもつように構成されたフィルタである
ことを特徴とする請求項１〜４のうちいずれか１項に記載の撮像装置。
【請求項７】
前記フィルタは、マルチバンドパスフィルタ、又は、バンドパスフィルタと前記バンドパスフィルタの透過帯域の一部を遮断するノッチフィルタとを組み合わせたフィルタである
ことを特徴とする請求項６に記載の撮像装置。
【請求項８】
前記撮像装置は、デジタル顕微鏡である
ことを特徴とする請求項１〜７のうちいずれか１項に記載の撮像装置。
【請求項９】
請求項１〜８のうちいずれか１項に記載の撮像装置と、
前記撮像装置で取得された画像のデータを処理するコンピュータと、を有する
ことを特徴とする撮像システム。
【発明の詳細な説明】
【技術分野】
【０００１】
本発明は、撮像装置及び撮像システムに関し、特に、異なる波長帯域で被写体を撮像する技術に関する。
【背景技術】
【０００２】
病理学の分野等では、光学顕微鏡の代替として、病理検体を撮像しデジタル画像を取得するデジタル顕微鏡が注目されている。 この装置は、取得した画像データを用いて、医
師による病理診断を可能とするものである。近年においては、研修医などの教育の分野でも多く用いられている。この種の装置は、デジタル顕微鏡の他にも、スライドスキャナ、バーチャルスライドシステム、ホールスライドスキャナなどと呼ばれる。 病理診断画像
のデジタル化により、例えば細胞の形状や個数、細胞質と核の面積比など、病理診断に有用な種々の情報の提示が可能となる。また、デジタル情報の伝送により、遠隔地での診断も可能となり、病理医の不足や迅速な診断行為を補うシステムとして期待されている。以上のことから、この種のシステムではスライド上の検体を高画質、高解像度で高速に撮像することが求められている。
【０００３】
色再現性に優れた高画質のデジタル画像を取得するために、異なる波長帯域で検体（被写体）を撮像し、得られた複数の画像を合成して検体画像を得る手法が知られている。異なる波長帯域に対応する複数の画像から構成される画像群は「マルチバンド画像」、波長帯域ごとの画像は「バンド画像」又は「シングルバンド画像」とも呼ばれる。また、診断においては、検体画像内の組織（核や線維等）を抽出し分類する処理（クラスタリング）が必要とされている。クラスタリングは、組織の色や形状をもとに行われるが、精度向上のため、検体画像の色数（波長帯域数）を増やしたいという要求がある。
【０００４】
異なる波長帯域の画像データを取得する方法は、一般に以下の二つに大別される。
（方法Ａ）照明光の波長をフィルタなどによって切替えながら、１つの被写体を複数回露光・撮像する方法。
（方法Ｂ）プリズム、ハーフミラー、バンドパスフィルタなどの光学部品によって、波長帯域ごとに光路を分割し、それぞれの光路から得られる画像を一括して取得する方法。
【先行技術文献】
【特許文献】
【０００５】
【特許文献１】特開２００８−１３９５４３号公報
【発明の概要】
【発明が解決しようとする課題】
【０００６】
マルチバンド画像のような異なる波長帯域の画像群を高速に取得するには、前述の方法Ｂが用いられることが多い。例えば、特許文献１には、検体で生起した複数波長を含む蛍光を多段のダイクロイックミラーで単波長の蛍光へと分解し、単波長の複数の蛍光像を複数のイメージセンサでそれぞれ撮像する構成を有する装置が開示されている。
【０００７】
しかしながら特許文献１に挙げた構成の場合、取得したい波長帯域の数だけ、光路を分割しなければならない。また、光路分割数と同じ数だけイメージセンサが必要である。したがって、取得したい波長帯域の数が多くなるほど、装置の複雑化、大型化、高コスト化という課題が生じる。
【０００８】
本発明はこのような事情を鑑みてなされたものであり、異なる波長帯域の画像群を高速
に取得することができる、簡便で低コストの撮像装置を提供することを目的とする。 
【課題を解決するための手段】
【０００９】
本発明の第一態様は、被写体を照明する照明ユニットと、少なくとも第１のイメージセンサと第２のイメージセンサを有する撮像ユニットと、前記被写体からの光を前記撮像ユニットの各イメージセンサへ導く光学系と、を有し、前記照明ユニットは、少なくとも、第１の照明光と、前記第１の照明光とは波長帯域が異なる第２の照明光と、を択一的に照射可能であり、前記光学系は、前記第１の照明光の波長帯域に含まれる第１の波長の光と前記第２の照明光の波長帯域に含まれる第２の波長の光をそれぞれ選択的に抽出し、前記第１のイメージセンサへ導くように構成された第１の光学的構造と、前記第１の照明光の波長帯域に含まれる第３の波長の光と前記第２の照明光の波長帯域に含まれる第４の波長の光をそれぞれ選択的に抽出し、前記第２のイメージセンサへ導くように構成された第２の光学的構造と、を有することを特徴とする撮像装置を提供する。
【００１０】
本発明の第二態様は、本発明に係る撮像装置と、前記撮像装置で取得された画像のデータを処理するコンピュータと、を有することを特徴とする撮像システムを提供する。
【発明の効果】
【００１１】
本発明によれば、異なる波長帯域の画像群を高速に取得することができる、簡便で低コストの撮像装置を提供することが可能となる。
【図面の簡単な説明】
【００１２】
【図１】第１実施形態における撮像装置の概略図。
【図２】照明ユニットのバンドパスフィルタの透過特性を示す図。
【図３】クロスダイクロイックプリズムの反射特性及び透過特性を示す図。
【図４】イメージセンサが受光する波長帯域を示す図。
【図５】第２実施形態における撮像装置の概略図。
【図６】マルチバンドパスフィルタの透過特性を示す図。
【図７】第２実施形態における撮像装置の変形例の概略図。
【図８】バンドパスフィルタとノッチフィルタの組み合わせの透過特性を示す図。
【発明を実施するための形態】
【００１３】
以下、本発明の実施例について、図面を参照しながら詳細に説明する。各図において、同一の部材については同一の参照番号を付し、重複する説明は省略する。また、説明を具体化するために例示する数値も、特に言及しない限りは、これに限定するものではない。
【００１４】
＜第１実施形態＞
（撮像システムの構成）
図１は、本発明の第１実施形態に係る撮像システムの概略図である。この撮像システムは、被写体の高解像度画像を取得するシステムであり、撮像装置３０とコンピュータ３１から構成される。撮像装置３０は、被写体を高倍率で撮像し、デジタル画像データを出力する装置であり、デジタル顕微鏡とも呼ばれる。コンピュータ３１は、撮像装置３０で得られたデジタル画像データに画像処理を施したり、画像から各種情報を検出・算出したり、画像や情報を出力するための装置であり、画像処理装置とも呼ばれる。コンピュータ３１としては、汎用的なパーソナルコンピュータに必要な画像処理プログラムを実装したものを用いてもよいし、専用のコンピュータ（組み込み型のコンピュータなど）を用いてもよい。また、画像処理装置の機能の全部又は一部をＡＳＩＣなどの回路で実現することもできる。図１では、撮像装置３０とコンピュータ３１を別装置で図示したが、撮像装置３０とコンピュータ３１とを一体に構成してもよい。
【００１５】
撮像装置３０は、概略、被写体である検体１を照明する照明ユニット（３，４，５，６，７）、複数のイメージセンサをもつ撮像ユニット（１０，１１，１２）、検体１からの光を各イメージセンサへ導く結像光学系（８）、を有する。また、撮像装置３０は、検体１を保持するためのステージ（１４，１５）、撮像装置３０の制御を担う制御ユニット（１３）、ステージ等の駆動を担うドライバ（１６）を有する。ここでは、光軸に対し平行にＺ軸をとり、ステージに対し平行にＸ軸とＹ軸をとる。
【００１６】
本実施形態では、検体１として病理診断用の検体が用いられる。検体１は、観察目的に応じた処理（染色など）が行われた後、スライドグラス２上に、不図示のマウント剤とカバーグラスとで固定されている。このような状態の検体１をスライド（又はプレパラート）と呼ぶ。
【００１７】
照明ユニットは、照明光源３と、複数のバンドパスフィルタ４，５と、照明光学系７を有する。照明光源３は、検体１に照射する光を発する光源であり、ハロゲン光源、レーザー光源、ＬＥＤ光源などを用いることができる。本実施形態ではハロゲン光源を用いている。バンドパスフィルタ４，５は、照明光源３から発せられる照明光の所定の波長帯域のみを透過する光学フィルタである。バンドパスフィルタ４，５の透過帯域は互いに異なっている。ターレット機構６によって、照明ユニットの光路内に挿入するバンドパスフィルタを択一的に切り替えることで、検体１に照射する照明光の波長帯域を変えることができる。照明光学系７は、照明光を均一に検体１に照射するための光学系である。
【００１８】
図２Ａにバンドパスフィルタ４の透過特性の一例を示し、図２Ｂにバンドパスフィルタ５の透過特性の一例を示す。本実施形態で用いたバンドパスフィルタ４は、波長４４０〜５１０ｎｍの波長帯域において高い透過特性を有するように設計されている。したがって、バンドパスフィルタ４を光路内に配置すると、検体１は、４４０〜５１０ｎｍの波長帯域をもつ照明光（第１の照明光と呼ぶ）で照射されることとなる。一方、バンドパスフィルタ５は５２０〜６１０ｎｍの波長帯域において高い透過特性を有するように設計されている。したがって、バンドパスフィルタ５を光路内に配置すると、検体１は、５２０〜６１０ｎｍの波長帯域をもつ照明光（第２の照明光と呼ぶ）で照射されることとなる。各バンドパスフィルタの透過帯域（つまり、各照明光の波長帯域）は互いに重ならないように設定されているとよい。後述する結像光学系８側での波長分割をやりやすくするためである。なお、バンドパスフィルタの透過光の中に透過帯域外の波長成分が若干含まれる場合もあるが、その強度は透過帯域内の光の強度に比べて十分小さいため、無視して構わない。本実施形態の照明ユニットは、波長帯域の異なる２種類の照明光を択一的に照射可能であるが、バンドパスフィルタの数を増やすことによって、切り替え可能な照明光（波長帯域）の数を増やしてもよい。
【００１９】
結像光学系８は、光路分割と波長分割を行う光学部材として、クロスダイクロイックプリズム９を有する。クロスダイクロイックプリズム９は、４つの三角プリズムを組み合わせた構成であり、入射した光束を２つの反射光と１つの透過光の３つの光束に分割する。詳しくは後述するが、クロスダイクロイックプリズム９の反射特性及び透過特性を適宜設計することにより、所望の波長の光のみを反射光・透過光として選択的に抽出することができる。結像光学系８は、また、検体１の光学像をイメージセンサの像面に結像するための光学部材も有している。
【００２０】
撮像ユニットは、複数のイメージセンサ１０，１１，１２を有する。イメージセンサ１０，１１，１２は、結像光学系８で分割された３つの光束にそれぞれ対応する位置に配置されている。イメージセンサは、受光した光を電気信号に変換し、撮像データとして出力するデバイスである。ＣＣＤイメージセンサ、ＣＭＯＳイメージセンサなどを用いることができる。撮像、データ転送などは、制御ユニット１３からの指示により行われる。
【００２１】
検体１を保持するステージは、光軸方向に移動し、検体１を所望の焦点位置に位置決めするためのＺステージ１４と、水平方向に移動し、検体１の水平方向面内の任意の領域を結像光学系８の視野に位置合わせするためのＸＹステージ１５とを有する。ドライバ１６は、制御ユニット１３の指示を受けて、ターレット機構６、Ｚステージ１４、ＸＹステージ１５を駆動する駆動ユニットである。
【００２２】
図３Ａ〜図３Ｃは、本実施形態のクロスダイクロイックプリズム９の反射面ａ、反射面ｂ、透過面、各々の、反射特性及び透過特性の一例である。反射面ａは、図３Ａに示すように、波長４５０ｎｍと５３０ｎｍに高い反射率を有している。この反射面ａは、入射光から、第１の照明光の波長帯域に含まれる波長４５０ｎｍの光と、第２の照明光の波長帯域に含まれる波長５３０ｎｍの光をそれぞれ選択的に抽出（反射）し、その反射光をイメージセンサ１０へ導くように構成された光学的構造である。反射面ｂは、図３Ｂに示すように、波長４７０ｎｍと５７０ｎｍに高い反射率を有している。反射面ｂは、入射光から、第１の照明光の波長帯域に含まれる波長４７０ｎｍの光と、第２の照明光の波長帯域に含まれる波長５７０ｎｍの光をそれぞれ選択的に抽出（反射）し、その反射光をイメージセンサ１１へ導くように構成された光学的構造である。透過面は、図３Ｃに示すように、波長５００ｎｍと６００ｎｍに高い透過率を有している。透過面は、入射光から、第１の照明光の波長帯域に含まれる波長５００ｎｍの光と、第２の照明光の波長帯域に含まれる波長６００ｎｍの光をそれぞれ選択的に抽出（透過）し、その透過光をイメージセンサ１２へ導くように構成された光学的構造である。
【００２３】
図３Ａ、図３Ｂに示す反射特性を得るために、反射面ａ、反射面ｂには、それぞれ、反射帯域の違う複数の膜を積層する、多層膜コーティングが施されている。具体的には、反射面ａには、４５０ｎｍを中心とする狭い反射帯域をもつ膜と、５３０ｎｍを中心とする狭い反射帯域をもつ膜とが設けられている。反射面ｂには、４７０ｎｍを中心とする狭い反射帯域をもつ膜と、５７０ｎｍを中心とする狭い反射帯域をもつ膜とが設けられている。また、図３Ｃに示す透過特性を得るために、透過面には、一般的なマルチバンドパスフィルタに用いられる成膜が施されている。
【００２４】
（撮像システムの動作）
次に本実施形態の撮像システムの動作を説明する。本実施形態では、同じ検体１に対し、第１の照明光を用いた撮像（第１の撮像処理と呼ぶ）と第２の照明光を用いた撮像（第２の撮像処理と呼ぶ）を実行し、２回の撮像処理で６枚のバンド画像を取得する。
【００２５】
まず、制御ユニット１３がドライバ１６によりＸＹステージ１５及びＺステージ１４を駆動し、検体１のＸＹ位置及び焦点位置を所望の位置に合わせる。照明ユニットにはバンドパスフィルタ４がセットされている。照明光源３から照射されたハロゲン光は、バンドパスフィルタ４と照明光学系７により波長帯域４４０〜５１０ｎｍの均一な照度分布をもつ光（第１の照明光）に調光され、検体１を照明する。検体１を透過した光束は、結像光学系８内に設けられたクロスダイクロイックプリズム９によって、波長帯域の異なる３つの光束に分割される。
【００２６】
第１の照明光は、バンドパスフィルタ４によって波長帯域が制限されているため、イメージセンサ１０，１１，１２はそれぞれ図４Ａの斜線で示す波長帯域のみを受光することになる。すなわち、イメージセンサ１０は４５０ｎｍ、イメージセンサ１１は４７０ｎｍ、イメージセンサ１２は５００ｎｍの波長の光束のみを受光する。
【００２７】
イメージセンサ１０，１１，１２に結像したそれぞれの波長の画像は、制御ユニット１３からの指示により、電気信号に変換され、コンピュータ３１に転送される。このように
して得られた、波長４５０ｎｍ、４７０ｎｍ、５００ｎｍに対応する３枚のバンド画像データは、コンピュータ３１内またはネットワーク上のストレージ（不図示）に保存される。以上で第１の撮像処理が完了する。
【００２８】
次に制御ユニット１３からの指示により、ターレット機構６が回転し、バンドパスフィルタ５に切り替わる。これにより、イメージセンサ１０，１１，１２が受光する波長帯域は、図４Ｂの斜線で示すように変化する。受光する光束の波長はそれぞれ、イメージセンサ１０は５３０ｎｍ、イメージセンサ１１は５７０ｎｍ、イメージセンサ１２は６００ｎｍとなる。第１の撮像処理と同じように、制御ユニット１３からの指示により、波長５３０ｎｍ、５７０ｎｍ、６００ｎｍに対応する３枚のバンド画像データが取得され、コンピュータ３１内またはネットワーク上のストレージ（不図示）に保存される。以上で第２の撮像処理が完了する。
【００２９】
この動作により、合計で六種類の波長（４５０ｎｍ、４７０ｎｍ、５００ｎｍ、５３０ｎｍ、５７０ｎｍ、６００ｎｍ）の光で撮像された、六種類のバンド画像が取得される。本システムでは、コンピュータ３１にインストールされた画像合成アプリケーションでこれら複数のバンド画像を合成することにより、精密な色再現性を持つ画像情報を生成し、モニタ上に表示することができる。
【００３０】
結像光学系８の視野に対して検体１のサイズが大きい場合は、ＸＹステージ１５により検体１のＸＹ位置を移動した後、前述の動作を繰り返せばよい。また、焦点位置の深さが異なる画像群（Ｚスタック画像と呼ばれる）を取得する場合には、Ｚステージ１４により検体１のＺ位置を移動した後、前述の動作を繰り返せばよい。これにより、検体１内の所望のＸＹ位置・Ｚ深さの検体画像を取得することができる。また、隣接する領域の画像をつなぎ合わせることにより、結像光学系８の視野より大きな範囲の検体画像を生成することができる。
【００３１】
以上述べた本実施形態の構成によれば、６種類のバンド画像を２回の撮像処理で得ることができるため、マルチバンド撮像の高速化を実現できる。しかも、各撮像処理で用いるイメージセンサ及び光路を共通にできるため、装置構成の複雑化や大型化を招くことがなく、簡便で低コストの装置を提供することができる。
【００３２】
なお、上記実施形態の構成は本発明の具体例の一つにすぎない。例えば、照明ユニットはｍ種類（ｍは２以上の整数）の波長帯域の照明光を択一的に照射可能であればよく、イメージセンサの数（結像光学系の分割数）はｎ個（ｎは２以上の整数）であればよい。このとき結像光学系が、ｍ種類の波長帯域のそれぞれに反射率又は透過率のピークをもつ、ｎ個の光学的構造を有していれば、ｍ×ｎ種類のバンド画像をｍ回の撮像によって取得できる。
【００３３】
本実施形態では、ハロゲン光のフィルタリングに用いるバンドパスフィルタ４，５を、照明光源３と照明光学系７の間に配置しているが、バンドパスフィルタの配置位置は光路分割手段であるクロスダイクロイックプリズム９より物体側であればよい。
【００３４】
また、照明光の波長帯域切り替え手段としては、特定の波長透過特性を持つフィルタをターレット機構で切り替える方式に限るものではなく、電気的に制御できるバンドパス液晶フィルタを用いてもよい。さらに、バンドパスフィルタを用いず、ＬＥＤ光源やレーザー光源によって波長を切り替える構成でも同様の効果が得られる。
【００３５】
＜第２実施形態＞
次に、本発明の第２実施形態を、図面を用いて説明する。前述の第１実施形態では、ダ
イクロイックプリズムにより光路分割及び波長分割を行ったのに対し、第２実施形態で、ビームスプリッタにより光路分割を行った後、フィルタによって所望の波長帯域に制限する。
【００３６】
図５は、第２実施形態に係る撮像システムの概略図である。符号１７，１８は、結像光学系８内に配置された光路分割手段としてのビームスプリッタである。本実施形態において、反射面における反射光と透過光の分割比は、ビームスプリッタ１７は１：２に、ビームスプリッタ１８は１：１になるよう設計されており、ビームスプリッタ１７、１８を組み合わせることにより、光束を三分割している。ただし、光源の色温度と、撮像したい波長帯域によっては、反射光と透過光の分割比はこの限りではない。
【００３７】
ビームスプリッタ１７，１８より像面側の光路に、所望の波長を選択的に抽出するための光学的構造であるマルチバンドパスフィルタ１９，２０，２１が配置されている。図６Ａ〜図６Ｃは、マルチバンドパスフィルタ１９，２０，２１それぞれの透過特性を示す。イメージセンサ１０への光路に配置されたマルチバンドパスフィルタ１９は、第１の照明光の波長帯域に含まれる４５０ｎｍの光と、第２の照明光の波長帯域に含まれる５３０ｎｍの光を選択的に抽出可能な特性を有する（図６Ａ）。イメージセンサ１１への光路に配置されたマルチバンドパスフィルタ２０は、第１の照明光の波長帯域に含まれる４７０ｎｍの光と、第２の照明光の波長帯域に含まれる５７０ｎｍの光を選択的に抽出可能な特性を有する（図６Ｂ）。イメージセンサ１２への光路に配置されたマルチバンドパスフィルタ２１は、第１の照明光の波長帯域に含まれる５００ｎｍの光と、第２の照明光の波長帯域に含まれる６００ｎｍの光を選択的に抽出可能な特性を有する（図６Ｃ）。
【００３８】
本実施形態の撮像装置においても、第１実施形態と同じように第１の照明光での第１の撮像処理と第２の照明光での第２の撮像処理を実行することで、６種類のバンド画像を取得できる。
【００３９】
本実施形態によれば、第１実施形態に示した装置構成に比べ、結像光学系が若干大型のものになるものの、製造の難易度の高いクロスダイクロイックプリズムを用いた構成より、装置を安価に製造することが可能である。
【００４０】
また、マルチバンドパスフィルタ１９，２０，２１の替わりに、図７のように、広帯域のバンドパスフィルタとノッチフィルタを組み合わせた構成でも、同様の効果が得られる。
【００４１】
一例として、マルチバンドパスフィルタ１９の替わりに、バンドパスフィルタ２２とノッチフィルタ２５を組み合わせた場合の透過特性を図８に示す。図中、実線はバンドパスフィルタ２２の、破線はノッチフィルタ２５の透過特性である。ノッチフィルタ２５は、バンドパスフィルタ２２の透過領域の一部（中央部分）を遮断（減衰）し、それ以外の波長帯域を透過するように設定されている。バンドパスフィルタ２２とノッチフィルタ２５を合成した透過特性は、前述のマルチバンドパスフィルタ１９と同じく、２箇所に透過率のピークをもつ特性となる。また、バンドパスフィルタ２３とノッチフィルタ２６、及びバンドパスフィルタ２４とノッチフィルタ２７の組み合わせについても、それぞれ、マルチバンドパスフィルタ２０、２１と同様の透過特性となるように設計することができる。
【００４２】
本実施形態においても、第１実施形態と同様、照明光のバンドパスフィルタ４，５の配置位置は、照明光源３と照明光学系７の間に限定されない。また、照明光の波長帯域切り替え手段も、第１実施形態と同様、バンドパス液晶フィルタやＬＥＤ光源を適用できる。
【００４３】
以上述べた第１及び第２実施形態の構成は本発明の一具体例にすぎない。本発明の趣旨
を損なわない範囲で適宜変形を行うことができる。例えば、フィルタの特性、反射面の反射特性、透過面の透過特性などは、観察対象や観察目的や装置構成に応じて適宜設定することができる。また、光源や照明光の波長帯域についても任意に設定することができる。また、検体１の透過光でなく、検体１の反射光を観察する構成とすることもできる。例えば、蛍光顕微鏡などに本発明を適用することもできる。また、可視光以外の波長帯域の照明光を用いたり、可視光以外の波長帯域のバンド画像を取得することできる。
【符号の説明】
【００４４】
１：検体（被写体）、３：照明光源、４，５：バンドパスフィルタ、７：照明光学系、８：結像光学系、９：クロスダイクロイックプリズム、１０，１１，１２：イメージセンサ、１９，２０，２１：マルチバンドパスフィルタ、３０：撮像装置、３１：コンピュータ
【図１】
2016224368.tif 000003
【図２】
2016224368.tif 000004
【図３】
2016224368.tif 000005
【図４】
2016224368.tif 000006
【図５】
2016224368.tif 000007
【図６】
2016224368.tif 000008
【図７】
2016224368.tif 000009
【図８】
2016224368.tif 000010